(57)【要約】【課題】  被連結物を簡単に連結でき、さらに被連結物がリングの所定位置に連結できるようにした連結用リングを提供する。【解決手段】  リング本体２に形成した開口部３の一側部11に開閉体７の基端を回動自在に接続すると共に、開閉体７の先端を開口部３の他側部５に接続可能に設ける。開閉体７にリング１の内側に向かう突部15を設け、一側部11にリング本体２の内側に向けて延長部12を設け、延長部12と開閉体７との間に該開閉体７を閉成するように付勢する弾性体20を備える。被連結物21,22の移動を突部15によって阻止できると共に、延長部12と開閉体７との間に該開閉体７を閉成するように付勢する弾性体20をコイルバネのような比較的細長なバネとすることにより弾性体20を比較的容易に取り付けることができる。【選択図】図１
2005172072.tif 000002
【特許請求の範囲】
【請求項１】
リング本体に形成した開口部の一側部に開閉体の基端を回動自在に接続すると共に、前記開閉体の先端を前記開口部の他側部に接続可能に設けた連結用リングにおいて、前記開閉体に前記リング本体の内側に向かう突部を設けることを特徴とする連結用リング。
【請求項２】
リング本体に形成した開口部の一側部に開閉体の基端を回動自在に接続すると共に、前記開閉体の先端を前記開口部の他側部に接続可能に設けた連結用リングにおいて、前記開閉体に前記内側に向かう突部を設け、前記一側部に前記リング本体の内側に向けて延長部を設け、前記延長部と前記開閉体との間に該開閉体を閉成するように付勢する弾性体を備えることを特徴とする連結用リング。
【請求項３】
前記突部に沿って前記弾性体を設けたことを特徴とする請求項２記載の連結用リング。
【請求項４】
前記連結体は、前記一側部の外周面に接続するように設けられる外面部と、該外面部の左右に一体に設けられ前記一側部の左右に接続するように設けられる左右側面部とを備え、前記開口部と対向する前記リング本体の部位に向かって前記左右側面部の一部を前記部位と間隔を有し突設して前記突部を形成し、かつ前記左右側面部の間に前記弾性体を遊嵌することを特徴とする請求項２又は３記載の連結用リング。
【請求項５】
前記突部の一側又は他側に凹部を形成することを請求項２〜４のいずれか１項に記載の連結用リング。
【請求項６】
前記リング本体は丸棒を曲げて形成されると共に、該丸棒の直径を１ｍｍ以上３ｍｍ以下に形成し、かつ前記弾性体はコイルバネであることを特徴とする請求項２〜５のいずれか１項に記載の連結用リング。
【発明の詳細な説明】
【技術分野】
【０００１】
本発明は、連結用リングに関するものである。
【背景技術】
【０００２】
従来、この種のものとしてリングの一部に切れ目状に開口部を形成し、前記開口部の一端側を回動し内側に挿入して開成可能に設けると共に、該一端側を前記開口部の他端側に係止して閉成可能に設けた線状材により形成される連結用リングが周知である。
【０００３】
このような連結用リングにおいては、リングの両側にそれぞれ被連結物の端部を連結したとき、外力などにより被連結物の端部がリングに沿って移動してしまい、それぞれ被連結物の端部が同じリングの箇所に集まってしまうという問題がある。
【０００４】
このような問題を解決するものとして、例えば第１及び第２半割リングの第１開放端部がそれぞれ第２及び第１半割リングの第１及び第２開放端部間の空間に、入り込むように組み合せ、各空間は各開放端部の肉厚で埋まり、連結リングが公知である（例えば、特許文献１）。
【特許文献１】実開平５−７２８７８公報
【発明の開示】
【発明が解決しようとする課題】
【０００５】
従来技術においては、各開放端部を貫通する一本のピンで第１及び第２半割リングを連結して使用するというものであり、被連結物の端部を簡単に、すなわちワンタッチで連結することができないという問題がある。
【０００６】
ところで、近年高所工事において工具などの落下事故を防止する為、それぞれの工具は作業者の腰ベルト等に連結リングを介して吊り下げられており、作業時に所望の工具を連結リングより取り外して使用し、使用後においては再び工具を連結リングを介して吊り下げて携帯するものである。
【０００７】
しかしながら、工具に形成される吊り下げ連結用孔の直径は最大で３ｍｍ程度であるので、直径の大きい連結リングでは対応できないという問題があった。
【０００８】
解決しようとする問題点は、被連結物を簡単に連結でき、さらに被連結物がリングの所定位置に連結できるようにした連結用リングを提供できるようにした点である。また、工具に形成される吊り下げ連結用孔の直径が例えば２.６ｍｍ等最大で３ｍｍであっても連結可能な連結用リングを提供できるようにした点である。
【課題を解決するための手段】
【０００９】
請求項１の発明は、リング本体に形成した開口部の一側部に開閉体の基端を回動自在に接続すると共に、前記開閉体の先端を前記開口部の他側部に接続可能に設けた連結用リングにおいて、前記開閉体に前記リング本体の内側に向かう突部を設けることを特徴とする連結用リングである。
【００１０】
請求項２の発明は、リング本体に形成した開口部の一側部に開閉体の基端を回動自在に接続すると共に、前記開閉体の先端を前記開口部の他側部に接続可能に設けた連結用リングにおいて、前記開閉体に前記内側に向かう突部を設け、前記一側部に前記リング本体の内側に向けて延長部を設け、前記延長部と前記開閉体との間に該開閉体を閉成するように付勢する弾性体を備えることを特徴とする連結用リングである。
【００１１】
請求項３の発明は、前記突部に沿って前記弾性体を設けたことを特徴とする請求項２記載の連結用リングである。
【００１２】
請求項４の発明は、前記連結体は、前記一側部の外周面に接続するように設けられる外面部と、該外面部の左右に一体に設けられ前記一側部の左右に接続するように設けられる左右側面部とを備え、前記開口部と対向する前記リング本体の部位に向かって前記左右側面部の一部を前記部位と間隔を有し突設して前記突部を形成し、かつ前記左右側面部の間に前記弾性体を遊嵌することを特徴とする請求項２又は３記載の連結用リングである。
【００１３】
請求項５の発明においては、前記突部の一側又は他側に凹部を形成することを請求項２〜４のいずれか１項に記載の連結用リングである。
【００１４】
請求項６の発明においては、前記リング本体は丸棒を曲げて形成されると共に、該丸棒の直径を１ｍｍ以上３ｍｍ以下に形成し、かつ前記弾性体はコイルバネであることを特徴とする請求項２〜５のいずれか１項に記載の連結用リングである。
【発明の効果】
【００１５】
請求項１の発明によれば、開閉体にリングの内側に向かう突部を設けることでリングに連結した工具、ロープやリングなどの被連結物がリングに沿って移動しようとしても、これを突部によって阻止できると共に、被連結物の連結も開口部を介して挿入し、そして開閉体を接続すればよいので操作も簡単に行える。
【００１６】
請求項２の発明によれば、開閉体にリングの内側に向かう突部を設けることでリングに連結した被連結物がリングに沿って移動しようとしても、これを突部によって阻止できると共に、被連結物の連結も開口部を介して挿入し、そして開閉体を接続すればよいので操作も簡単に行える。しかも延長部と開閉体との間に弾性体を介在したので弾性体をコイルバネのような比較的細長なバネを比較的容易に取り付けることができる。
【００１７】
請求項３の発明によれば、突部に沿って前記弾性体を設けることにより、弾性体の長さを可及的に大きくでき弾性体の弾性力を最適なものとすることができる。
【００１８】
請求項４の発明によれば、前記連結体の前記左右側面部の間に前記弾性体を遊嵌することにより、左右を位置決めして弾性体を取り付けることができる。
【００１９】
請求項５の発明によれば、リングの一側又は他側に連結した被連結具が、仮に他側又は一側に移動しようとしても凹部によってこれを阻止することができる。
【００２０】
請求項６の発明によれば、リング本体を形成する丸棒の直径を１ｍｍ以上３ｍｍとすることにより、被連結具に形成された例えば３ｍｍ程度の孔であっても、その孔にリング本体を通すことができる。
【発明を実施するための最良の形態】
【００２１】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【実施例１】
【００２２】
図１〜図５は実施例１を示しており、連結用リング１はリング本体２と開閉体７とを備えており、リング本体２の一部に開口部３を形成し、該開口部３の一端側の一側部11側に開閉体７を回動自在に設けて開口部３の他端側の他側部５を開閉可能に接続するものである。前記リング本体２は丸棒を曲げて形成されると共に、該丸棒の直径ｄを例えば２．５ｍｍのように１ｍｍ以上３ｍｍ以下に形成している。そして、リング本体２は直線状部８の一側に第１の折り返し部９をリング本体２の内側に向けて接続し、直線状部８の他側に第２の折り返し部10を接続している。尚、直線状部８は直線である必要はなく、ほぼ直線的であればよい。さらに、第１及び第２の折り返し部９,10は円周のほぼ１/２をなす円弧状に形成されている。また、一側の折り返し部９に形成される一側部11側より延長部12が延長されている。該延長部12は第１の折り返し部９とほぼ同じ中心と曲率半径を有する円周のほぼ１/４をなす円弧状に形成されており、内側に向けて設けられる。そして、延長部12の端には直線状部８とほぼ平行となってやや突設した直線端部13が形成されている。
【００２３】
前記開閉体７は一側部11側に基端を軸14を介して回動自在に接続すると共に、先端４は開口部３の他側部５に開閉可能に接続する。尚、他側部５の内側に先端４が係止することによって両者が接続できるようになっている。また、開閉体７には内側に向かって突部15を設ける。さらに詳述すると開閉体７は、第１の折り返し部９の外周面９ａに接続するように設けられる外面部16と、該外面部16の左右に一体に設けられ第１の折り返し部９の左右側面９ｂに接続するように設けられる左右側面部17とを備えている。そして、左右側面部17の一部が直線状部８に向かって該直線状部８と間隔ａを有し突設して前記突部15を形成している。また、突部15における前記第１の折り返し部９と対向する部位は第１の凹部18が形成されている。同様に突部15における第２の折り返し部10と対向する部位は第２の凹部19が円周のほぼ１／４の円弧状に形成されている。したがって、開閉体７は先端４を作用点、軸14を支点、後述する弾性体20との接続部を力点とした梃子状に設けられている。尚、第１の凹部18、第２の凹部19については少なくともいずれか一方が設けられていればよい。
【００２４】
さらに、延長部12と開閉体７との間にコイルバネからなる弾性体20を介在し、該弾性体20により開閉体７を閉成するように付勢している。該弾性体20の伸縮方向は突部15における突出方向と平行に設けられており、弾性体20の一端は外面部16に接続されると共に、他端は直線端部13に接続され、さらに左右側面17にそれぞれ左右に突設して形成された略半割り円筒部17ａに弾性体20の左右側が挟まれて遊嵌されて抜け止めされている。尚、図中ｂは円筒状コイルバネからなる円筒状の弾性体20の長手方向、すなわち伸縮方向の長さを示している。
【００２５】
次に前記構成についてその作用を説明する。例えば作業員の腰ベルトなどの図示しない身体装着具にロープたる一方の被連結物21をリング本体２の一側に連結した状態で工具等の他方の被連結物22を連結するときには、外面部16を内側に押し込んで軸14を回転中心として開閉体７を回動し、一側部11を他側部５より離間する。この際、弾性体20は押し縮められるようになるので、伸張する方向の反発力が弾性体20に生じ、この反発力に抗して開閉体７を操作する。また、この際には第１の折り返し部９は動くことなくその端にある第３の一側部11側に設けられた軸14を回動中心として開閉体７は回動することにより、開閉体７の傾斜を大きくでき、この結果一側部４と他側部５との離間の長さを大きくできる。
【００２６】
次に被連結物22の孔22ａを一側部11と他側部５との間から挿入した後、孔22ａに他側部５を挿入し、被連結物22を連結する。そして外面部16を押し込む力を弱めると、弾性体20の復元力により軸14を回転中心として開閉体７は逆方向に回動して一側部11が他側部５に係止して両者は接続する。
【００２７】
この使用の際に、例えば一方の被連結物21が第２の折り返し部10側に移動しようとしても、これを突部15における第１の凹部18によって阻止する。同様に他方の被連結物22が第１の折り返し部９側に移動しようとしても、これを突部15における第２の凹部19によって阻止することにより、被連結物21,22の移動を防止することができる。
【００２８】
さらに、開閉体７に万一強力な押し込みの力が加わっても、円周のほぼ３/４をなす円弧状に形成された第１の折り返し部９と延長部12の変形によって破損等を阻止することができる。
【００２９】
以上のように、前記実施例では請求項１に対応して一側部４側に前記リング本体２の内側に向かう突部15を設けることにより、連結した手動工具、電動工具等工具、ロープやリングなどの被連結物21,22がリング本体２に沿って移動しようとしても、これを突部15によって阻止できると共に、被連結物21,22の連結も開口部３を介して挿入し閉じるだけなので操作も簡単となる。
【００３０】
また、前記実施例では請求項２に対応して前記開閉体７に前記リング本体２の内側に向かう突部15を設け、前記一側部11に前記リング本体２の内側に向けて延長部12を設け、前記延長部12と前記開閉体７との間に該開閉体７を閉成するように付勢する弾性体20を備えることにより、被連結物21,22の移動を突部15によって阻止できると共に、延長部12と開閉体７との間に該開閉体７を閉成するように付勢する弾性体20をコイルバネのような比較的細長なバネとすることにより弾性体20を比較的容易に取り付けることができる。
【００３１】
さらに、前記実施例では請求項３に対応して突部15に沿って前記弾性体20を設けることにより、弾性体20の長さｂを可及的に大きくでき弾性体20の弾性力を最適なものとすることができる。
【００３２】
また、前記実施例では請求項４に対応して前記連結体20の前記左右側面部17の間に前記弾性体20を遊嵌することにより、左右を位置決めして弾性体20をより簡単に取り付けることができる。
【００３３】
さらに、前記実施例では請求項５に対応して前記突部15の一側及び他側に凹部18,19を形成したことにより、リング１の一側に連結した被連結具21が、仮に他側に移動しようとしても凹部18によってこれを阻止することができ、またリング１の他側に連結した被連結具22が、仮に一側に移動しようとしても凹部19によってこれを阻止することができる。
【００３４】
また、前記実施例では請求項６に対応してリング本体２を形成する丸棒の直径ｄを１ｍｍ以上３ｍｍとすることにより、被連結具22に形成された例えば３ｍｍ程度の孔22ａであっても、その孔22ａにリング本体２を通すことができるので、各種工具等を吊り下げて着脱自在に連結できるようになり、腰ベルト等にも利用することができる。
【００３５】
しかも、前記実施例では前記リング本体２の内側に向けて前記第１の折り返し部９の第３の一側部11側より延長する延長部12と、前記第３の一側部11側に基端を回動自在に設けると共に前記一側部４を有する開閉体７と、前記延長部12と前記開閉体７との間に介在し該開閉体７を閉成するように付勢する弾性体20とを備えることにより、第１の折り返し部９自体を曲げることなく弾性体20の弾性力に抗して一側部４側を大きく回動することができるので、一側部４と他側部５との離間の長さを大きくすることができ、被連結物21,22の連結を容易に行うことができる。
【００３６】
さらに、前記実施例では前記第１及び第２の折り返し部９,10は円周のほぼ１/２をなす円弧状に形成されており、前記延長部12は前記第１の折り返し部９とほぼ同じ曲率半径を有する円周のほぼ１/４をなす円弧状に形成され、該延長部12の端部に前記弾性体20の一端が接続されると共に、該弾性体20の他端は前記外面部16に接続ざれることにより、開閉体７に万一強力な押し込みの力が加わっても、円周のほぼ３/４をなす円弧状に形成された第１の折り返し部９と延長部12の変形によって破損等を阻止することができる。
【産業上の利用可能性】
【００３７】
以上のように本発明にかかる連結用リングは、梃子体を板材ではなくリング本体のような丸棒を加工したようなものでもよく、あらゆる用途に適用できる。
【図面の簡単な説明】
【００３８】
【図１】本発明の実施例１を示す閉成状態の断面図である。
【図２】図１のｘ−ｘ線断面図である。
【図３】本発明の実施例１を示す開成状態の断面図である。
【図４】本発明の実施例１を示す閉成状態の正面図である。
【図５】本発明の実施例１を示す閉成状態の斜視図である。
【符号の説明】
【００３９】
２  リング本体
３  開口部
５  他側部
７  開閉体
９  第１の折り返し部
９ａ  外周面
９ｂ  左右側面
10  第２の折り返し部
11  一側部
12  延長部
15  突部
16  外面部
17  左右側面部
18  第１の凹部
19  第２の凹部
20  弾性体
【図１】
2005172072.tif 000003
【図２】
2005172072.tif 000004
【図３】
2005172072.tif 000005
【図４】
2005172072.tif 000006
【図５】
2005172072.tif 000007